(57)【要約】【課題】つくり出すヘアスタイルや好みに応じて歯の並び形状等を変形できる変形くしを提供する。【解決手段】把持するための柄部２と、毛髪を梳かすための複数の歯３０を備えた歯部３を設けた変形くし１において、歯部３をアイオノマー樹脂で形成し、日常使用するお湯やドライヤーの熱で歯部３を自在に変形できるようにする。尚、柄部２もアイオノマー樹脂で形成して把持し易いように変形できる。【選択図】  図１
2011104130.tif 000002
【特許請求の範囲】
【請求項１】
把持するための柄部と、毛髪を梳かすための複数の歯を備えた歯部を設け、少なくとも前記歯部をアイオノマー樹脂で形成したことを特徴とする変形くし。
【請求項２】
前記柄部を前記アイオノマー樹脂で形成すると共に、その先端を尖り形状にしたことを特徴とする請求項１に記載の変形くし。
【請求項３】
前記歯部における前記各歯の間隔を８ミリ以上にしたことを特徴とする請求項１及び請求項２のいずれか記載の変形くし。
【発明の詳細な説明】
【技術分野】
【０００１】
本発明は、ヘアスタイルに応じて熱で変形できる変形くしに関するものである。
【背景技術】
【０００２】
従来、用途に応じて変形することが可能なくしが存在している。例えば、特許第４３４３２６４号公報（特許文献１）には、一列に複数の歯を備えた歯部を有するくしが開示されているが、その歯は曲げ弾性を有しているため、人の頭などの毛髪を梳かす部位に応じてその部位への押圧力でその歯が変形して毛髪の根元にまで及んでこれを効果的に梳かすことができるようにしている。
【先行技術文献】
【特許文献】
【０００３】
【特許文献１】特許第４３４３２６４号公報
【発明の概要】
【発明が解決しようとする課題】
【０００４】
ところで、前記特許文献１のくしについて、毛髪を梳かす部位に応じて前記歯が変形するようにしているが、その部位への押圧力でしか変形できない。よって、つくり出す各種ヘアスタイルに応じて、または好みの形になるようくし自体を変形することは不可能であるといった課題があった。
【０００５】
そこで、本発明は、上記問題点を解消する為に成されたものであり、つくり出すヘアスタイルに応じて、または好みの形になるよう各歯の並び形状、またその他の部分を変形することが可能な変形くしを提供する事を目的とするものである。
【課題を解決するための手段】
【０００６】
すなわち、本発明の変形くしは、把持するための柄部と、毛髪を梳かすための複数の歯を備えた歯部を設け、少なくとも前記歯部をアイオノマー樹脂で形成したものとしている。
【０００７】
また、前記柄部を前記アイオノマー樹脂で形成すると共に、その先端を尖り形状にすることができる。
【０００８】
さらに、前記歯部における前記各歯の間隔を８ミリ以上にしてもよい。
【発明の効果】
【０００９】
よって、本発明の変形くしは、把持するための柄部と、毛髪を梳かすための複数の歯を備えた歯部を設け、少なくとも前記歯部をアイオノマー樹脂で形成したものであるため、日常使用するお湯やドライヤーの熱で歯部を自在に変形でき、つくり出すヘアスタイルに応じて、または好みの形になるよう各歯の並び形状を変形することが可能となる。
【００１０】
前記アイオノマー樹脂は弾性を有し、常温での曲げに強い特性を有すると共に、耐摩耗性や耐油・耐薬性においても優れているため、使用耐久期間が長く、しかも整髪料等による化学的な劣化がほとんどないので、劣化変形により毛髪に及ぶダメージを防止することができる。
【００１１】
尚、前記柄部を前記アイオノマー樹脂で形成すると共に、その先端を尖り形状にする場合は、把持し易い角度に柄部を熱で変形させたり、または毛髪の立ち上げやすくい上げをし易いように変形させたりすることができる。
【００１２】
さらに、前記歯部における前記各歯の間隔を８ミリ以上にする場合は、手ぐし感覚で毛髪を梳かすことができ、しかも毛髪がウェーブ状や巻状であっても梳かす際に生じる摩擦が従来の比較的目の細かいくしよりも大幅に軽減され、毛髪が傷むのを防止することができる。
【図面の簡単な説明】
【００１３】
【図１】本発明の変形くしを示す図である。
【図２】本発明の変形くしの歯部をスパイラル状に変形した形態を示す図である。
【図３】本発明の変形くしの歯部をジグザグ状に変形した形態を示す図である。
【図４】本発明の変形くしの柄部を変形した形態を示す図である。
【発明を実施するための形態】
【００１４】
以下に、本発明の変形くしを、図面に示す一実施形態に基づきこれを詳細に説明する。
【００１５】
すなわち、本発明の変形くし１は、図１の実施形態で示したように、まず把持するための柄部２と、毛髪を梳かすための複数の歯３０を備えた歯部３を設けている。
【００１６】
さらに、本発明の変形くし１の特徴として、少なくとも前記歯部３をアイオノマー樹脂で形成したものとしている。
【００１７】
前記アイオノマー樹脂とは、既知のものであるがエチレン−メタクリル酸共重合体やエチレン−アクリル酸共重合体の分子間を、ナトリウムや亜鉛などの金属のイオンで分子間結合した構造を有する樹脂のことをいうが、特に比較的低い熱で自在に変形する性質を有するものである。
【００１８】
また、前記アイオノマー樹脂は弾性を有し、常温での曲げに強い特性を有すると共に、耐摩耗性や耐油・耐薬性においても優れている。そのため、使用耐久期間が長く、しかも整髪料等による化学的な劣化がほとんどないので、劣化変形により毛髪に及ぶダメージを防止することができる。
【００１９】
このように、本発明の変形くし１の前記歯部３を前記アイオノマー樹脂で形成したものとしているため、日常使用するお湯やドライヤーの熱で歯部３を自在に変形でき、つくり出すヘアスタイルに応じて、または好みの形になるよう各歯の並び形状を変形することが可能となるのである。
【００２０】
例えば、図２に示すように、前記各歯３０の並び形状をスパイラル状に変形させる場合は巻き髪を作り易い形状になり、または図３に示すように、その並び形状をジグザグ状に変形させる場合は毛束感のある毛髪にして特に毛先にニュアンスを出すことが容易になる。
【００２１】
加えて、同じく図３に示されているが、前記歯部３における前記各歯３０の並び形状をその並び方向に直する方向において変化させる場合はムース状の整髪料を歯部に載せやすくなり、これを毛髪に塗布することが容易になる。
【００２２】
尚、前記柄部２を前記アイオノマー樹脂で形成すると共に、その先端を尖り形状にする場合は、把持し易い角度に柄部２を熱で変形させたり、または毛髪の立ち上げやすくい上げをし易いように適宜変形させたりすることができる。
【００２３】
尚、前記歯部３における前記各歯３０の間隔を８ミリ以上になるよう形成している。よって、本発明の変形くし１は手ぐし感覚で毛髪を梳かすことができ、しかも毛髪がウェーブ状や巻状であっても梳かす際に生じる摩擦が従来の比較的目の細かいくしよりも大幅に軽減され、毛髪が傷むのを防止することができる。
【００２４】
したがって、上記に示した本発明の変形くし１は、前記アイオノマー樹脂を採用することで、弾性を活かして毛髪を梳かす部位に応じた歯の変形が可能な従来の特性を持ち合わせつつも、つくり出すヘアスタイルに応じて、または好みの形になるよう各歯３０の並び形状などを変形することを可能としたものであるため、市場におけるさらなるニーズに応じるものとなり得る。
【符号の説明】
【００２５】
１  変形くし
２  柄部
３  歯部
３０  歯
【図１】
2011104130.tif 000003
【図２】
2011104130.tif 000004
【図３】
2011104130.tif 000005
【図４】
2011104130.tif 000006